(57)【特許請求の範囲】
【請求項１】
壁に沿って通気層が設けられたパラペット部に笠木取付金具を介して笠木を取り付けて構成した笠木構造に於いて、
前記パラペット部の壁の上縁に当接される長尺の面材を有する換気部材により前記パラペット部と前記笠木との間に換気通路が形成され、
前記換気通路が前記パラペット部の外部に連通するように前記換気部材に設けた第１の換気孔と、
前記笠木内部と前記壁に沿った通気層とを連通するように前記換気部材に設けた第２の換気孔と、
を有し、
強い風を受けたときに前記第１の換気孔を閉じる方向に回動する開閉弁が前記換気部材に挿入固定され、該換気部材の先端部を前記笠木の内面にパッキン等の気密材を介在して当接させたことを特徴とした笠木構造。
【請求項２】
前記換気部材の所定の位置に凹所を設けるか或は弁保持部材を換気部材に一体的に取付ける共に、前記開閉弁の一部を該凹所或は弁保持部材に嵌着して取付けたことを特徴とした請求項１の笠木構造。
【請求項３】
前記開閉弁は作動羽根部がヒンジ部を介して基板部に連設されて構成されていることを特徴とした請求項１または請求項２の笠木構造。
【請求項４】
前記開閉弁が前記換気部材に一体的に取付けて構成されていることを特徴とした請求項１〜３の何れか１項に記載の笠木構造。
【発明の詳細な説明】
【０００１】
【発明の属する技術分野】
本発明は内部に換気機構を有する笠木構造に係り、特にパラペット部と笠木との間に設けられた換気通路を開閉弁によって開閉して防水し得る笠木構造に関するものである。
【０００２】
【従来の技術】
従来の笠木構造を有する笠木構造としては、例えば図１３に示すような構造を持った技術が知られている。この構造は、壁下地材５１と壁５２との間に防水層５３を介して通気層５４を形成してなるパラペット部５５の上部に、笠木取付金具５６を介して笠木５７を取付け、パラペット部５５と笠木５７との間に換気通路５８を構成した構造である。図中５９は固定ネジであって、笠木取付金具５６を壁下地材５１に固定している。
【０００３】
然るに、前述の図１３に示す笠木構造に於いては、換気通路５８が常時開放されているので、台風時等の風雨が強い場合には、換気通路５８内に風雨が簡単に浸入するために、パラペット部５５内に雨水が入り込み、パラペット部５５或はパラペット部５５が取付けられた建物内に雨水が浸入して、種々のトラブルが発生する問題があった。
【０００４】
この問題点を解決するために、最近になって特開平９−４０８１号公報に示す如き発明が開発されている。この技術は、外壁材の上部と笠木との間に形成された換気通路用の隙間内に雨水溜め部材を形成し、雨返し部を超えて浸入して来た雨水を前記雨水溜め部材に一旦溜めた後で、その側方に設けられた排水溝から雨水を排出する技術である。
【０００５】
【発明が解決しようとする課題】
然るに、この技術の場合にも外壁材と笠木との間に形成される換気通路が常時開放されているので、台風時等には雨水が換気通路に浸入し、仮に相当の雨水を雨水溜め部材に溜めて排水孔から排出したとしても、その他の残りの少量の雨水がパラペット部や建物内に浸入してトラブルが発生する問題があった。
【０００６】
本発明に係る笠木構造は、従来技術の多くの問題点に鑑み開発された全く新しい技術であって、特に笠木とパラペット部との間に設けた換気通路に開閉弁を取付け、風雨が強い時には該開閉弁によって換気通路を自動的に密閉し、この換気通路内に雨水が浸入することを防止した全く新しい技術を提供するものである。
【０００７】
【課題を解決するための手段】
本発明に係る笠木構造は、前述の従来の問題点を根本的に改善した発明であって、その第１発明の要旨は、壁に沿って通気層が設けられたパラペット部に笠木取付金具を介して笠木を取り付けて構成した笠木構造に於いて、前記パラペット部の壁の上縁に当接される長尺の面材を有する換気部材により前記パラペット部と前記笠木との間に換気通路が形成され、前記換気通路が前記パラペット部の外部に連通するように前記換気部材に設けた第１の換気孔と、前記笠木内部と前記壁に沿った通気層とを連通するように前記換気部材に設けた第２の換気孔とを有し、強い風を受けたときに前記第１の換気孔を閉じる方向に回動する開閉弁が前記換気部材に挿入固定され、該換気部材の先端部を前記笠木の内面にパッキン等の気密材を介在して当接させたことを特徴とした笠木構造である。
【０００８】
前述の第１発明に於いては、パラペット部と笠木との間に設けられた換気通路内に開閉弁を取付けて構成したので、台風時等の風雨が強くなった際には、換気通路内に侵入しようとする風の風圧によって開閉弁が換気通路を閉鎖し、これによって風雨が換気通路内に深く浸入することを防止できる。
【０００９】
また、前記換気通路内に換気部材を取付け、さらにこの換気部材に開閉弁を取付けて構成したので、該開閉弁を換気部材を介して換気通路の所定位置に安定した状態で簡単に取付けて固定することができる。
【００１０】
また、換気通路内に取付けられた換気部材の所定位置に換気孔を設けたので、換気通路を通過する空気はすべてこの換気孔を流通せしめることが出来る。そして、前記開閉弁によってこの換気孔を閉鎖し得るように構成したので、開閉弁は小さなサイズのものを使用することが出来、かつ閉鎖構造を簡単に構成することが出来る。
【００１１】
本発明に係る笠木構造の第２発明の要旨は、前記換気部材の所定位置に凹所を設けるか或は弁保持部材を換気部材に一体的に取付けると共に、前記開閉弁の一部を該凹所或は弁保持部材に嵌着して取付けたことを特徴とした第１発明の笠木構造である。
【００１２】
本発明に係る笠木構造の第２発明に於いては、前記換気部材の所定位置に凹所を設けるか或は弁保持部材を換気部材に一体的に取付けると共に、前記開閉弁の一部を該凹所或は弁保持部材に嵌着して取付けたので、開閉弁を換気部材に簡単に着脱自在に取付けることができる。また、開閉弁を予め換気部材等に取付け固定した後で、換気部材を換気通路内に組込んで取付固定することが出来る。
【００１３】
本発明に係る笠木構造の第３発明の要旨は、前記開閉弁は作動羽根部がヒンジ部を介して基板部に連設されて構成されていることを特徴とした第１発明または第２発明の笠木構造である。
【００１４】
前述の第３発明に於いては、前記開閉弁は作動羽根部が、ヒンジ部を介して基板部に連設されて構成されているので、該基板部を換気通路の内壁、或は換気部材の凹所または弁保持部材等の所定位置に取付けることによって、開閉弁を換気通路内に簡単、かつ確実に取付固定することが出来る。また、ヒンジ部の作用によって、風雨が換気通路内に浸入しようとする際に、その風圧によって直ちに作動羽根部を作動させて該換気通路を閉鎖することが出来る。
【００１５】
本発明に係る笠木構造の第４発明の要旨は、前記開閉弁が前記換気部材に一体的に取付けて構成されていることを特徴とした第１発明〜第３発明の笠木構造である。
【００１６】
前述の第４発明に於いては、開閉弁を換気部材に一体的に取付けて構成したので、全体の構成が極めて簡単であり、かつ換気部材を換気通路内に配置して取り付けることによって、開閉弁を同時に換気通路内に配設することが出来る。
【００１７】
【発明の実施の形態】
本発明に係る笠木構造の一実施例を図により説明すると、図１は本発明の第１実施例の笠木構造の要部の縦断面説明図、図２は図１の笠木構造の換気構造の換気部材及び開閉弁の斜視説明図、図３は図１の開閉弁が作動する状態を示す縦断面説明図、図４は第１参考例の笠木構造の要部の縦断面説明図、図５は図４の笠木構造の換気部材の斜視説明図、図６は図４の開閉弁が作動する状態の縦断面説明図である。
【００１８】
図７は第２参考例の笠木構造の要部の縦断説明図、図８は図７の換気部材の斜視説明図、図９は図７の開閉弁が作動する状態の縦断説明図、図１０は第２実施例の笠木構造の要部の縦断説明図、図１１は図１０の換気部材の斜視説明図、図１２は図１０の開閉弁が作動する状態の縦断面説明図である。
【００１９】
図１乃至図３に於いて、本発明の第１実施例を具体的に説明すると、１はパラペット部であって、壁下地材２と壁３との間に防水層４を介して通気層５を形成することによって構成されている。６は笠木であって、笠木取付金具７を介して前記パラペット部１の上部に取付固定されている。８は固定ネジであって、笠木取付金具７を壁下地材２に固定している。
【００２０】
前記笠木６とパラペット部１との間には換気通路９が形成されており、さらにこの換気通路９は前記パラペット部１の通気層５に連通されている。１０は換気部材であって、換気通路９内に挿入されると共に、その元部１０ａは固定ネジ８を介して壁下地材２に取付固定されている。換気部材１０には複数の換気孔１１が穿設されている。
【００２１】
該換気部材１０の先端部１０ｂは斜め下方に折り曲げられており、パッキン材等の気密材１４を介して笠木６の内面に当設されている。換気部材１０の下面には、図２に示すように、上記換気通路９がパラペット部１の外部に通じる部分の上記換気孔１１を、台風時等の強風の風圧によって閉じる方向に回動する開閉弁１２が設けられている。この開閉弁１２を保持する弁保持部材１３が換気部材１０の下面に一体的に連結されている。
【００２２】
前記開閉弁１２は、作動羽根部１２ａとヒンジ部１２ｂと基板部１２ｃよりなり、作動羽根部１２ａがヒンジ部１２ｂを介して基板部１２ｃに回動自在に取付けて構成されている。前記弁保持部材１３の先端下部には、前記開閉弁１２の基板部１２ｃを嵌入固定し得る樋状凹所１３ａが形成されており、かつその最先端部の立上がり部１３ｂは外方に斜めに折曲突設されている。
【００２３】
従って、前記弁保持部材１３に開閉弁１２の基板部１２ｃを嵌着させて、開閉弁１２を弁保持部材１３に取付けた場合には、前記立上がり部１３ｂで作動羽根部１２ａを外方に押圧して、この作動羽根部１２ａに換気通路９の内を通過する空気が良く当たるように構成されている。
【００２４】
前記換気部材１０とこの換気部材１０に一体的に取付けられた弁保持部材１３とは、気密材１４を介してパラペット部１の壁３の上縁に当設されて取付けられている。従って、換気通路９を通過する空気は、換気部材１０の換気孔１１を通過して通気層５に達するように構成されている。
【００２５】
前述の第１実施例に於ける笠木構造に於いては、台風時等に於いて風雨が強まり、換気通路９内に雨風が浸入しようとすると、強い風が開閉弁１２の作動羽根部１２ａに当たるので、この作動羽根部１２ａが特に図３に示す如く回動し、作動羽根部１２ａで換気部材１０の換気孔１１を閉鎖し、これによって風雨が換気通路９内に深く浸入することを防止することが出来るように構成されている。また、風雨が弱まった場合には、開閉弁１２のヒンジ部１２ｂの働き或は作動羽根部１２ａの自重によって、作動羽根部１２ｂを下降して換気孔１１を開放することが出来るように構成されている。
【００２６】
前述の換気部材１０及び弁保持部材１３は鋼材、ステンレス、アルミニウム等の金属材或はプラスチック材等で構成することが出来る。特にプラスチック材を使用した場合には、換気部材１０と弁保持部材１３とを一体的に形成することが可能である。また、開閉弁１２はプラスチック材、天然ゴム材或は合成ゴム材等で構成することが出来る。
【００２７】
次に、図４乃至図６に於いて、笠木構造の第１参考例を具体的に説明する。この第１参考例と前述の第１実施例との異なる大きな構造は、換気部材１５と開閉弁１６である。
【００２８】
即ち、第１実施例に於いては、換気部材１０と開閉弁１２とが夫々別体として構成されており、かつ開閉弁１２は弁保持部材１３を介して換気部材１０に取付けて構成されていたが、第１参考例に於いては、開閉弁１６を換気部材１５に一体的に取付けて構成されている。このような構造は、プラスチック材を使用して射出成形方式で成形することによって構成することが可能である。
【００２９】
前記開閉弁１６は、換気部材１５の下面に垂下突設された垂下片１５ａの片側面に一体的に取付けられており、かつ垂下片１５ａの他側面には、壁３の側面に密接し得る複数のフィン１７が設けられている。換気部材１５の下面所定位置には、壁３の上縁に密接し得る中空弾性部１８が設けられ、さらに換気部材１５の先端には、笠木６の内面に密接し得るフィン１９が設けられている。
【００３０】
前記フィン１７、中空弾性部１８及びフィン１９は、夫々第１実施例に於ける気密材１４の役割をしている。従って、これ等のフィン１７、１９、及び中空弾性部１８を換気部材１５に一体的に取り付けることによって、前記第１実施例に於ける気密材１４を全く不要とすることが出来る。これによって、笠木構造の組立作業を簡単にすることが可能である。
【００３１】
この第１参考例に於いては、開閉弁１６を換気部材１５に一体的に取付けて構成したので、第１実施例のように、開閉弁１６を別部材として作り、後から換気部材１０に組込む作業を全く不要とすることが出来る。
【００３２】
第１参考例の笠木構造に於いて、強風時に換気通路９内に風雨が浸入しようとすると、特に図６に示す如く、開閉弁１６が作動して換気孔１１を閉鎖するので、風雨がそれ以上換気通路９内に深く浸入することを自動的に停止せしめることが出来る。
【００３３】
図７乃至図９によって、笠木構造の第２参考例を説明すると次の通りである。前記第１実施例及び第１参考例に於いては、換気部材１０、１５を夫々パラペット部１の上縁に当接するように構成したが、第２参考例に於いては、図に示す如く、換気部材２０を小さな寸法のもので形成し、この換気部材２０を笠木６の内面に直接取付けるように構成したものである。
【００３４】
即ち、第２参考例に於いては、換気部材２０をほぼＴ字型に形成し、その２辺の先端部２０ａ、２０ｂを夫々笠木６の内面に設けられたフック６ａ、６ｂに嵌着して換気通路９内に取付けるようにした構造である。また、この第２参考例においては、図に示す如く、所定位置に開閉弁１２の基板部１２ｃが嵌入し得る凹所２１を設け、この凹所２１を利用して開閉弁１２を取付けるようにした構造である。
【００３５】
前記第２参考例に於いては、前記第１実施例及び第１参考例に比較して換気部材２０を小さくし、しかもこの換気部材２０を笠木６に直接取付けることが出来る点に特徴がある。さらに、換気部材２０の所定位置に凹所２１を設けたので、開閉弁１２をこの凹所２１を介して換気部材２０に簡単に装着することが可能である。第２参考例を実施した場合には、換気部材２０と壁３との間に隙間が形成されるので、両者間には気密材１４を介在させて気密性を維持する必要がある。
【００３６】
図１０乃至図１２によって、本発明に係る笠木構造の第２実施例を説明すると次の通りである。第２実施例の特徴は、換気部材２２を笠木取付金具７に取付けるようにし、かつ開閉弁２３を換気部材２２に設けた円弧状凹所２４に回動自在に取付けた構造にある。
【００３７】
即ち、第２実施例に於いては、笠木取付金具７の端部に断面コ字型の凹所７ａを形成し、前記換気部材２２の端部に形成された断面コ字型アーム２２ａをこの凹所７ａに嵌入することによって、換気部材２２を笠木取付金具７に取付固定することが出来るように構成されている。
【００３８】
また、換気部材２２の所定位置には、円弧状凹所２４が設けられており、開閉弁２３の元部に設けられた円柱基部２３ａを円弧状凹所２４に嵌入することによって、開閉弁２３を円弧状凹所２４に沿って回動させ、これによって図１２に示す如く、換気部材２２の換気孔１１を開閉弁２３で閉鎖することが出来るように構成されている。
【００３９】
この第２実施例の場合も、前記第２参考例の場合と同様に換気部材２２をコンパクトに形成することが出来、かつ換気部材２２を笠木取付金具７に簡単に取付けることが出来、笠木構造の全体の構成を簡単にして、組立構成を容易にしている。また、開閉弁２３を換気部材２２に容易に取付けることが出来、さらに、この開閉弁２３の円柱基部２３ａを円弧状凹所２４に沿って回動させることが出来るので、開閉弁２３の開閉をスムーズにしている。
【００４０】
【発明の効果】
本発明に於いては、パラッペット部と笠木との間に設けられた換気通路内に開閉弁を取付けて構成したので、台風時等の風雨が強くなった際には、換気通路内に侵入しようとする風の風圧によって開閉弁が換気通路を閉鎖し、これによって風雨が換気通路内に深く浸入することを防止出来る効果を有している。
【００４１】
本発明に於いて、前記換気通路内に換気部材を取付け、さらにこの換気部材に開閉弁を取付けて構成した場合には、該開閉弁を換気部材を介して換気通路の所定位置に安定した状態で簡単に取付けて固定することが出来る効果を有している。
【００４２】
本発明に於いて、前記換気部材の所定位置に凹所を設けるか或は弁保持部材を換気部材に一体的に取付けると共に、前記開閉弁の一部を該凹所或は弁保持部材に嵌着して取付けた場合には、開閉弁を換気部材に簡単に着脱自在に取付けることが出来る効果を有している。また、開閉弁を予め換気部材等に取付け固定した後で、換気部材を換気通路内に組込んで取付固定することが出来る効果も有している。
【００４３】
本発明に於いて、換気通路内に取付けられた換気部材の所定位置に換気孔を設けた場合には、換気通路を通過する空気はすべてこの換気孔を流通せしめることが出来る効果を有している。そして、前記開閉弁によってこの換気孔を閉鎖し得るように構成したので、開閉弁は小さなサイズのものを使用することが出来、かつ閉鎖構造を簡単に構成することが出来る等の効果も有している。
【００４４】
本発明に於いて、前記開閉弁を作動羽根部が、ヒンジ部を介して基板部に連設されるよう構成した場合には、該基板部を換気通路の内壁、或は換気部材の凹所または弁保持部材等の所定位置に取付けることによって、開閉弁を換気通路内に簡単、かつ確実に取付固定することが出来る効果を有している。また、ヒンジ部の作用によって、風雨が換気通路内に浸入しようとする際に、その風圧によって直ちに作動羽根部を作動させて該換気通路を閉鎖することが出来る効果も有している。
【００４５】
さらに、本発明に於いて、開閉弁を換気部材に一体的に取付けて構成した場合には、全体の構成が極めて簡単であり、かつ換気部材を換気通路内に配置して取り付けることによって、開閉弁を同時に換気通路内に配設することが出来る等の効果を有している。
【図面の簡単な説明】
【図１】  図１は本発明の第１実施例の笠木構造の要部の縦断面説明図である。
【図２】  図２は図１の笠木構造の換気構造の換気部材及び開閉弁の斜視説明図である。
【図３】  図３は図１の開閉弁が作動する状態を示す縦断面説明図である。
【図４】  図４は第１参考例の笠木構造の要部の縦断面説明図である。
【図５】  図５は図４の笠木構造の換気部材の斜視説明図である。
【図６】  図６は図４の開閉弁が作動する状態の縦断面説明図である。
【図７】  図７は第２参考例の笠木構造の要部の縦断説明図である。
【図８】  図８は図７の換気部材の斜視説明図である。
【図９】  図９は図７の開閉弁が作動する状態の縦断説明図である。
【図１０】  図１０は第２実施例の笠木構造の要部の縦断説明図である。
【図１１】  図１１は図１０の換気部材の斜視説明図である。
【図１２】  図１２は図１０の開閉弁が作動する状態の縦断面説明図である。
【図１３】  従来例の笠木構造の縦断面説明図である。
【符号の説明】
１ ・・・パラペット部
２ ・・・壁下地材
３ ・・・壁
４ ・・・防水層
５ ・・・通気層
６ ・・・笠木
７ ・・・笠木取付金具
８ ・・・固定ネジ
９ ・・・換気通路
１０ ・・・換気部材
１１ ・・・換気孔
１２ ・・・開閉弁
１３ ・・・弁保持部材
１４ ・・・気密材
１５ ・・・換気部材
１６ ・・・開閉弁
１７ ・・・フィン
１８ ・・・中空弾性部
１９ ・・・フィン
２０ ・・・換気部材
２１ ・・・凹所
２２ ・・・換気部材
２３ ・・・開閉弁
２４ ・・・円弧状凹所
５１ ・・・壁下地材
５２ ・・・壁
５３ ・・・防水層
５４ ・・・通気層
５５ ・・・パラペット部
５６ ・・・笠木取付金具
５７ ・・・笠木
５８ ・・・換気通路
５９ ・・・固定ネジ
【図１】
0004132018.tif 000002
【図２】
0004132018.tif 000003
【図３】
0004132018.tif 000004
【図４】
0004132018.tif 000005
【図５】
0004132018.tif 000006
【図６】
0004132018.tif 000007
【図７】
0004132018.tif 000008
【図８】
0004132018.tif 000009
【図９】
0004132018.tif 000010
【図１０】
0004132018.tif 000011
【図１１】
0004132018.tif 000012
【図１２】
0004132018.tif 000013
【図１３】
0004132018.tif 000014